(57)【要約】【課題】光源と受光素子との前段で分光素子を切り替え得る機構を必要としないことで、構造としての簡略化が図られ、かつ、分光部の位置合わせが省略されることにより、小型化が実現され、かつ、優れた分光性能を発揮する分光カメラ、および、かかる分光カメラを備えた電子機器を提供すること。【解決手段】本発明の分光カメラは、第２光源と、第１モノクロ撮像素子と、第１分光部および第２分光部と、前記第２光源、前記第１モノクロ撮像素子、前記第１分光部および前記第２分光部のそれぞれの作動を制御する制御部と、を備え、前記第２光源および前記第１モノクロ撮像素子は、同一方向を向いて配置され、前記第１分光部は、前記第１モノクロ撮像素子と前記測定対象との間に配置され、前記第２分光部は、前記第２光源と前記測定対象との間に配置されている。【選択図】図５
2020085842.tif 000002
【特許請求の範囲】
【請求項１】
測定対象に光を照射する第２光源と、
前記測定対象を反射した反射光に基づいた、画像を撮像する第１モノクロ撮像素子と、
入射光から所定の波長の光を選択的に出射させ、かつ出射させる出射光の波長領域を変更可能な第１分光部および第２分光部と、
前記第２光源、前記第１モノクロ撮像素子、前記第１分光部および前記第２分光部のそれぞれの作動を制御する制御部と、を備え、
前記第２光源および前記第１モノクロ撮像素子は、同一方向を向いて配置され、
前記第１分光部は、前記第１モノクロ撮像素子と前記測定対象との間に配置され、
前記第２分光部は、前記第２光源と前記測定対象との間に配置されていることを特徴とする分光カメラ。
【請求項２】
さらに、前記第２光源および前記第１モノクロ撮像素子と同一方向を向いて配置され、前記測定対象に光を照射する第１光源を有する請求項１に記載の分光カメラ。
【請求項３】
前記第１光源は、前記第１モノクロ撮像素子の作動時において、点灯している請求項２に記載の分光カメラ。
【請求項４】
前記第１光源と、前記第２光源とは、少なくとも一部が重なって点灯する請求項２または３に記載の分光カメラ。
【請求項５】
さらに、前記第２光源および前記第１モノクロ撮像素子と同一方向を向いて配置され、前記測定対象を反射した反射光に基づいた、画像を撮像する第２モノクロ撮像素子を有し、
前記第１光源は、前記第２モノクロ撮像素子の作動時において、点灯している請求項２に記載の分光カメラ。
【請求項６】
さらに、前記第２光源および前記第１モノクロ撮像素子と同一方向を向いて配置され、前記測定対象を反射した反射光に基づいた、画像を撮像する第２モノクロ撮像素子を有する請求項１ないし４のいずれか１項に記載の分光カメラ。
【請求項７】
前記第２光源は、前記第２モノクロ撮像素子の作動時において、点灯している請求項６に記載の分光カメラ。
【請求項８】
前記第１分光部と前記第２分光部とは、一体形成されている請求項１ないし７のいずれか１項に記載の分光カメラ。
【請求項９】
前記第１分光部と前記第１モノクロ撮像素子とは、一体形成されている請求項１ないし８のいずれか１項に記載の分光カメラ。
【請求項１０】
さらに、少なくとも１つの光学部品を有する請求項１ないし９のいずれか１項に記載の分光カメラ。
【請求項１１】
さらに、前記第２光源および前記第１モノクロ撮像素子と同一方向を向いて配置された、少なくとも１つのカラー撮像素子を有する請求項１ないし１０のいずれか１項に記載の分光カメラ。
【請求項１２】
前記制御部は、前記第１モノクロ撮像素子と、前記第１分光部とを作動させる第１モードと、前記第２光源と、前記第２分光部とを作動させる第２モードとを有する請求項１ないし１１のいずれか１項に記載の分光カメラ。
【請求項１３】
請求項１ないし１２のいずれか１項に記載の分光カメラと、
表示部と、
タッチ感知面と、
前記タッチ感知面との接触の強度を検出するための少なくとも１つのセンサーと、
少なくとも１つのプロセッサーと、
メモリーと、
少なくとも１つのプログラムと、を備え、
前記少なくとも１つのプログラムは、前記メモリーに記憶され、前記少なくとも１つのプロセッサーによって実行されるように構成されており、前記少なくとも１つのプログラムが、いずれかを実行するための命令を含むことを特徴とする電子機器。
【発明の詳細な説明】
【技術分野】
【０００１】
本発明は、分光カメラおよび電子機器に関するものである。
【背景技術】
【０００２】
従来から、分光素子によって分光された光を撮像素子で受光し、受光量を取得することで分光測定を行う分光カメラ（分光測定装置）が知られており、この分光カメラとしては、前分光方式を用いたものと、後分光方式を用いたものとがあり、各用途に合わせて、それぞれの方式が選択される。
【０００３】
これらのうち、後分光方式は、測定対象として、その特定波長が不明なものを測定すなわち撮影する場合に有効な方式であり、ある測定範囲の全域をスキャンすることで、特定波長やスペクトル形状を取得し、測定対象の特性を把握するのに有効な方式である。
【０００４】
他方、前分光方式は、測定対象として、その特定波長が明らかになっているものを測定する場合に有効な方式であり、特定波長または特定波長領域の光を照射することで、測定対象の特性を把握することが可能な方式である。そのため、前述した後分光方式よりも情報量を減らせることから、計測時間の短縮や、装置構成の簡素化（低コスト化）が容易である。
【０００５】
ところで、近年、前分光と後分光との機能を１つの分光カメラすなわち１つの電子機器に備え、各機能を活かして使用するニーズが出てきている。具体的には、特定波長が不明な測定対象に対して、後分光により特定波長を特定し、その後、前分光によって先の特定波長のみを測定対象に照射することで、計測時間を短縮する等の使用方法が挙げられる。
【０００６】
この前分光と後分光との双方の機能を１つの分光カメラで持ち合わせる従来技術として、例えば、特許文献１が知られている。この特許文献１では、光源および受光素子と、分光素子と、を相対移動させることで、光源と測定対象との間、および、測定対象と受光素子との間でそれぞれ分光素子を切り替えて使用すると言う技術が開示されている。
【先行技術文献】
【特許文献】
【０００７】
【特許文献１】特開２０１６−４８１８７号公報
【発明の概要】
【発明が解決しようとする課題】
【０００８】
しかしながら、この技術では、分光素子を光源と受光素子との前段で切り替え得る機構が必要となり、構造として複雑となり、装置の大型化を招くと言う問題があった。さらに、分光素子と光源および受光素子との位置合わせ再現精度によっては、分光性能に精度低下が生じると言う課題があった。
【課題を解決するための手段】
【０００９】
本発明は、上述の課題を解決するためになされたものであり、以下の適用例として実現することが可能である。
【００１０】
本発明の適用例に係る分光カメラは、測定対象に光を照射する第２光源と、
前記測定対象を反射した反射光に基づいた、画像を撮像する第１モノクロ撮像素子と、
入射光から所定の波長の光を選択的に出射させ、かつ出射させる出射光の波長領域を変更可能な第１分光部および第２分光部と、
前記第２光源、前記第１モノクロ撮像素子、前記第１分光部および前記第２分光部のそれぞれの作動を制御する制御部と、を備え、
前記第２光源および前記第１モノクロ撮像素子は、同一方向を向いて配置され、
前記第１分光部は、前記第１モノクロ撮像素子と前記測定対象との間に配置され、
前記第２分光部は、前記第２光源と前記測定対象との間に配置されていることを特徴とする。
【図面の簡単な説明】
【００１１】
【図１】本発明の分光カメラの第１実施形態を備える電子機器としてスマートフォンに適用した場合の実施形態の全体像の表側を示す平面図である。
【図２】本発明の分光カメラの第１実施形態を備える電子機器としてスマートフォンに適用した場合の実施形態の全体像の裏側を示す平面図である。
【図３】図２に示すスマートフォンのＡ−Ａ線断面図である。
【図４】図２に示すスマートフォンのＢ−Ｂ線断面図である。
【図５】図１、２に示すスマートフォンの概略構成を示すブロック図である。
【図６】図１、２に示すスマートフォンが備える分光カメラの第１分光部が有する波長可変干渉フィルターをファブリーペローエタロンフィルターに適用した一例を示す縦断面図である。
【図７】図１、２に示すスマートフォンにより測定対象の分光測定を行う測定方法を示すフローチャートである。
【図８】本発明の分光カメラの第２実施形態を備える電子機器としてスマートフォンに適用した場合の実施形態の全体像の裏側を示す平面図である。
【図９】図８に示すスマートフォンのＡ−Ａ線断面図である。
【図１０】図８に示すスマートフォンのＢ−Ｂ線断面図である。
【図１１】本発明の分光カメラの第３実施形態が備える第１分光部と第１モノクロ撮像素子とを示す平面図である。
【図１２】本発明の分光カメラの第３実施形態が備える第１分光部と第１モノクロ撮像素子とを示す側面図である。
【図１３】本発明の分光カメラの第４実施形態を備える電子機器としてスマートフォンに適用した場合の実施形態の全体像の裏側を示す平面図である。
【図１４】図１３に示すスマートフォンのＡ−Ａ線断面図である。
【図１５】図１３に示すスマートフォンのＢ−Ｂ線断面図である。
【発明を実施するための形態】
【００１２】
以下、本発明の分光カメラおよび電子機器を添付図面に示す好適な実施形態に基づいて詳細に説明する。
【００１３】
なお、以下では、本発明の分光カメラを備える電子機器を、スマートフォン１（ＳＰ）に適用した場合について説明する。
【００１４】
＜スマートフォン＞
＜＜第１実施形態＞＞
図１は、本発明の分光カメラの第１実施形態を備える電子機器としてスマートフォンに適用した場合の実施形態の全体像の表側を示す平面図、図２は、本発明の分光カメラの第１実施形態を備える電子機器としてスマートフォンに適用した場合の実施形態の全体像の裏側を示す平面図、図３は、図２に示すスマートフォンのＡ−Ａ線断面図、図４は、図２に示すスマートフォンのＢ−Ｂ線断面図、図５は、図１、２に示すスマートフォンの概略構成を示すブロック図、図６は、図１、２に示すスマートフォンが備える分光カメラの第１分光部が有する波長可変干渉フィルターをファブリーペローエタロンフィルターに適用した一例を示す縦断面図、図７は、図１、２に示すスマートフォンにより測定対象の分光測定を行う測定方法を示すフローチャートである。
【００１５】
スマートフォン１は、撮像機能を備えた携帯端末装置の１つであり、図１〜５に示すように、撮像装置として本発明の分光カメラ１０を備えている。
【００１６】
［分光カメラ１０］
分光カメラ１０は、測定対象Ｘで反射する光を、前分光または後分光することで、選択された波長の光を撮像することにより、分光画像を取得する。そして、得られた分光画像に基づいて、例えば、撮像された測定対象Ｘの特定を行い、そのものの、特徴、成分や、撮像領域における存在の有無等を、スマートフォン１の表示部１５を備えるディスプレイ７０において表示するものである。なお、図１に示す実施形態では、測定対象Ｘをリンゴとして特定し、表示している。
【００１７】
この分光カメラ１０は、本実施形態では、測定対象Ｘ（撮像対象）に光を照射する第１光源３１および第２光源３２と、測定対象Ｘを反射した反射光に基づいた、画像を撮像する第１モノクロ撮像素子２１および第２モノクロ撮像素子２２と、入射光から所定の波長の光を選択的に出射させ、かつ出射させる出射光の波長領域を変更可能な第１分光部４１および第２分光部４２と、第１光源３１、第２光源３２、第１モノクロ撮像素子２１、第２モノクロ撮像素子２２、第１分光部４１および第２分光部４２のそれぞれの作動を制御する制御部６０と、を備えている。
【００１８】
このような分光カメラ１０において、図２に示すように、第１光源３１、第２光源３２、第１モノクロ撮像素子２１および第２モノクロ撮像素子２２が、スマートフォン１の裏面側において同一方向を向いて配置された状態で、第１分光部４１は、第１モノクロ撮像素子２１と測定対象Ｘとの間に配置されている。これにより、第１光源３１と、第１分光部４１と、第１モノクロ撮像素子２１とにより、後分光方式の分光カメラが構成される。かかる構成をなす後分光方式の分光カメラでは、ある測定範囲の全域（所定領域）の波長をスキャンすることで、特定波長やスペクトル形状を取得して、測定対象Ｘの特性を把握することが可能である。そのため、特定波長が不明な測定対象を測定すなわち撮影する場合に有効な方式である。
【００１９】
さらに、第２分光部４２は、第２光源３２と測定対象Ｘとの間に配置されており、これにより、第２光源３２と、第２分光部４２と、第２モノクロ撮像素子２２とにより、前分光方式の分光カメラが構成される。かかる構成をなす前分光方式の分光カメラでは、特定波長または特定波長領域（なお、以下では、「特定波長」で代表して説明する。）の光を照射することで、測定対象Ｘの特性を把握することが可能な方式である。したがって、特定波長が明らかになっている測定対象Ｘを測定する場合に有効な方式であり、前述した後分光方式よりも情報量を減らせることから、計測時間の短縮が図られると言う利点を有する方式である。
【００２０】
分光カメラ１０は、このような後分光方式の分光カメラと、前分光方式の分光カメラとを、独立して備え、これらの切り替えを電気的に行えるように構成されている。そのため、従来のように、第１モノクロ撮像素子２１と測定対象Ｘとの間と、第２光源３２と測定対象Ｘとの間とで、回路基板上に設けられた分光部（分光素子）の相対位置を機械的に切り替え得る機構を設置する必要がなくなり、限られたスペースでの相対位置の切り替えが省略される。したがって、分光カメラ１０の構造の簡略化、ひいては分光カメラ１０（スマートフォン１）の小型化を図ることができる。さらに、第１モノクロ撮像素子２１と測定対象Ｘとの間と、第２光源３２と測定対象Ｘとの間とで、分光部（分光素子）の位置を切り替える必要がなく、その位置合わせ再現精度によって、分光カメラの分光性能の精度低下を招くと言う問題も解消される。
【００２１】
以下、分光カメラ１０が備える各部の構成について説明する。
［第１光源３１、第２光源３２］
第１光源３１、第２光源３２は、それぞれ独立して、測定対象Ｘに向かって照明光を照射する。
【００２２】
第１光学素子である第１光源３１、第２光学素子である第２光源３２は、それぞれ、図２、４に示すように、スマートフォン１の筐体内に配置された回路基板５１上に、測定対象Ｘに向かって照明光を照射し得るように、スマートフォン１の裏面側において、同一方向に向いて並んで配置されている。すなわち、第１光源３１と第２光源３２とは、同一方向に照明光を出射することができる。
【００２３】
そして、これらのうち、第１光源３１と測定対象Ｘとの間には分光部が配置されておらず、これにより、第１光源３１から出射された光が、測定対象Ｘに対して、直接、照射される。
【００２４】
これに対して、第２光源３２と測定対象Ｘとの間、すなわち、これらの間の光軸上には第２分光部４２が配置されており、これにより、第２光源３２から第２分光部４２に入射された入射光のうち、特定波長を有する出射光が選択的に出射され、この出射光が測定対象Ｘに対して照射される。
【００２５】
このような第１光源３１、第２光源３２は、例えば、ＬＥＤ光源、ＯＬＥＤ光源、キセノンランプ、ハロンゲンランプ等が挙げられ、波長可変干渉フィルターで構成される第１分光部４１および第２分光部４２により分光測定を行う波長領域の全体に光強度を持つ、白色光を照射可能な光源が好ましく用いられる。また、第１光源３１、第２光源３２は、白色光源以外にも、例えば、赤外光等の所定波長の光を照射可能な光源を備えていてもよい。
【００２６】
［第１モノクロ撮像素子２１、第２モノクロ撮像素子２２］
第１モノクロ撮像素子２１、第２モノクロ撮像素子２２は、それぞれ独立して、測定対象Ｘを反射した反射光に基づいた、画像を撮像することで、前記反射光を検出する検出部として機能するものである。
【００２７】
第１モノクロ撮像素子２１、第２モノクロ撮像素子２２は、それぞれ、図２、３に示すように、スマートフォン１の筐体内に配置された回路基板５１上に、測定対象Ｘを反射した反射光を受光し得るように、スマートフォン１の裏面側において、同一方向に向いて並んで配置されている。すなわち、第１モノクロ撮像素子２１および第２モノクロ撮像素子２２の反射光の入射部は、それぞれ、同一方向を向いて配置されている。
【００２８】
そして、これらのうち、第１モノクロ撮像素子２１と測定対象Ｘとの間には第１分光部４１が配置されている。これにより、測定対象Ｘから第１分光部４１に入射された入射光のうち、特定波長を有する出射光が選択的に出射され、この出射光が第１モノクロ撮像素子２１により、画像として撮像される。
【００２９】
これに対して、第２モノクロ撮像素子２２と測定対象Ｘとの間、すなわち、これらの間の光軸上には分光部が配置されておらず、これにより、測定対象Ｘを反射した反射光が、第２モノクロ撮像素子２２により、直接、画素として撮像される。
【００３０】
このような第１モノクロ撮像素子２１、第２モノクロ撮像素子２２は、例えば、ＣＣＤやＣＭＯＳ等で構成される。
【００３１】
［第１分光部４１、第２分光部４２］
第１分光部４１、第２分光部４２は、それぞれ独立して、入射光から特定波長である分光波長の光を選択的に出射させ、かつ出射させる出射光の波長領域を変更可能なものである。すなわち、入射光から特定波長の光を出射光として出射させるものである。
【００３２】
第１分光部４１、第２分光部４２は、それぞれ、図２〜４に示すように、スマートフォン１の筐体内に配置された回路基板５２上に配置されている。
【００３３】
そして、これらのうち、第１分光部４１は、第１モノクロ撮像素子２１と測定対象Ｘとの間、すなわち、これらの間の光軸上に配置されている。これにより、測定対象Ｘから第１分光部４１に入射された入射光のうち、特定波長を有する出射光を、第１モノクロ撮像素子２１に選択的に出射する。
【００３４】
これに対して、第２分光部４２は、第２光源３２と測定対象Ｘとの間、すなわち、これらの間の光軸上に配置されており、これにより、第２光源３２から第２分光部４２に入射された入射光のうち、特定波長を有する出射光を、測定対象Ｘに対して選択的に照射する。
【００３５】
このような第１分光部４１、第２分光部４２は、出射させる出射光の波長領域を変更可能なように、波長可変干渉フィルターで構成されている。この波長可変干渉フィルターとしては、特に限定されないが、例えば、静電アクチュエーターにより２つのフィルター（ミラー）間のギャップの大きさを調整することで透過する反射光の波長を制御する、波長可変型のファブリーペローエタロンフィルター、音響光学チューナブルフィルター（ＡＯＴＦ）、リニアバリアブルフィルター（ＬＶＦ）、液晶チューナブルフィルター（ＬＣＴＦ）等が挙げられるが、中でも、ファブリーペローエタロンフィルターであるのが好ましい。
【００３６】
ファブリーペローエタロンフィルターは、２つのフィルターによる多重干渉を利用して所望波長の反射光を取り出すものである。そのため、厚み寸法を極めて小さくすることができ、具体的には、２．０ｍｍ以下に設定することが可能となるため、分光部４１、４２ひいては分光カメラ１０（スマートフォン１）をより小型なものとし得る。したがって、波長可変フィルターとして、ファブリーペローエタロンフィルターを用いることにより、分光カメラ１０のさらなる小型化を実現することができる。
【００３７】
ここで、第１分光部４１と、第２分光部４２とは、それぞれ異なる位置に配置されること以外は、同一の構成をなすものである。そのため、波長可変干渉フィルターとして波長可変型のファブリーペローエタロンが適用された分光部について、図６を参照しつつ、第１分光部４１を代表に説明する（図６参照）。
【００３８】
ファブリーペローエタロンフィルターは、平面視において、矩形板状の光学部材であり、固定基板４１０と、可動基板４２０と、固定反射膜４１１と、可動反射膜４２１と、固定電極４１２と可動電極４２２と、接合膜４１４とを備えている。そして、固定基板４１０と可動基板４２０とが積層した状態で、接合膜４１４を介して一体的に接合されている。
【００３９】
固定基板４１０は、その中央部に反射膜設置部４１５が形成されるように、中央部を取り囲んで、厚さ方向に対するエッチングにより溝４１３が形成されている。かかる構成の固定基板４１０において、反射膜設置部４１５の可動基板４２０側に固定反射膜４１１で構成される固定光学ミラーが設けられ、溝４１３の可動基板４２０側に固定電極４１２が設けられている。
【００４０】
また、可動基板４２０は、その中央部に反射膜設置部４２５である可動部が形成されるように、中央部を取り囲んで、厚さ方向に対するエッチングにより溝４２３である保持部が形成されている。かかる構成の可動基板４２０において、反射膜設置部４２５の固定基板４１０側すなわち下面側に可動反射膜４２１で構成される可動光学ミラーが設けられ、固定基板４１０側に可動電極４２２が設けられている。
【００４１】
この可動基板４２０は、反射膜設置部４２５と比較して、溝４２３の厚み寸法が小さく形成されており、これにより、溝４２３は、固定電極４１２および可動電極４２２間に電圧を印加した際の静電引力により撓むダイアフラムとして機能する。
【００４２】
これら固定基板４１０と可動基板４２０とは、０．１ｍｍ以上１．０ｍｍ以下程度の厚みであれば作製可能である。よって、ファブリーペローエタロンフィルターの全体としての厚みを、２．０ｍｍ以下に設定し得るため、分光カメラ１０の小型化を実現することができる。
【００４３】
このような固定基板４１０と可動基板４２０との間において、固定反射膜４１１と可動反射膜４２１とは、固定基板４１０および可動基板４２０のほぼ中央部で、ギャップを介して対向配置されている。また、固定電極４１２と可動電極４２２とは、前記中央部を取り囲む溝部で、ギャップを介して対向配置されている。これらのうち、固定電極４１２と可動電極４２２とにより、固定反射膜４１１と可動反射膜４２１との間のギャップの大きさを調整する静電アクチュエーターが構成される。
【００４４】
静電アクチュエーターを構成する、固定電極４１２および可動電極４２２間に電圧を印加することで生じる静電引力により、溝４２３である保持部に撓みが生じる。その結果、固定反射膜４１１と可動反射膜４２１との間のギャップの大きさすなわち距離を変化させることができる。そして、このギャップの大きさを適宜設定することにより、透過する光の波長を選択すること、入射光から所望の波長（波長領域）の光を選択的に出射させることができる。また、固定反射膜４１１および可動反射膜４２１の構成を変えることにより、透過する光の半値幅、すなわちファブリーペローエタロンフィルターの分解能を制御することができる。
【００４５】
なお、固定基板４１０および可動基板４２０は、それぞれ、例えば、ソーダガラス、結晶性ガラス、石英ガラス、鉛ガラス、カリウムガラス、ホウケイ酸ガラス、無アルカリガラス等の各種ガラスや、水晶等により構成され、接合膜４１４は、例えば、シロキサンを主材料とするプラズマ重合膜等により構成され、また、固定反射膜４１１および可動反射膜４２１は、例えば、Ａｇ等の金属膜や、Ａｇ合金等の合金膜で構成される他、高屈折層としてＴｉＯ２、低屈折層としてＳｉＯ２を備える誘電体多層膜で構成され、さらに、固定電極４１２および可動電極４２２は、各種導電性材料で構成される。
【００４６】
［光学系８１〜８４］
また、分光カメラ１０は、図５に示すように、各種光学部品で構成される光学系８１〜８４を有する構成のものであってもよい。
【００４７】
第１分光部側光学系８１は、測定対象Ｘと第１分光部４１との間に配置され、入射光学系としての入射レンズ８１１と、投射レンズ８１２とを備え、測定対象Ｘを反射した反射光を第１分光部４１に導く。
【００４８】
また、第２分光部側光学系８２は、第２光源３２と第２分光部４２との間に配置され、入射光学系としての入射レンズ８２２と、投射レンズ８２１とを備え、第２光源３２により出射された出射光を第２分光部４２に導く。
【００４９】
さらに、第１撮像素子側光学系８３は、第１分光部４１と第１モノクロ撮像素子２１との間に配置され、入出射レンズ８３１を備え、第１分光部４１により出射された出射光を第１モノクロ撮像素子２１に導く。
【００５０】
また、第２撮像素子側光学系８４は、測定対象Ｘと第２モノクロ撮像素子２２との間に配置され、入出射レンズ８４１を備え、測定対象Ｘを反射した反射光を第２モノクロ撮像素子２２に導く。
【００５１】
このような光学系８１〜８４のうちの少なくとも１つを分光カメラ１０が備えることで、測定対象Ｘを反射する反射光の撮像素子２１、２２による集光率の向上を図ることができる。
【００５２】
なお、光学系８１、８２は、上記のような配置とする場合（図５参照）の他、第１分光部側光学系８１が、第１分光部４１と第１撮像素子側光学系８３との間に配置され、第２分光部側光学系８２が、第２分光部４２と測定対象Ｘとの間に配置されている構成をなすものであってもよい。
【００５３】
［制御部６０］
制御部６０は、スマートフォン１が備える筐体内に設けられ、例えば、ＣＰＵやメモリー等が組み合わせられたプロセッサーにより構成され、第１光源３１、第２光源３２、第１モノクロ撮像素子２１、第２モノクロ撮像素子２２、第１分光部４１および第２分光部４２等の各部の作動、すなわち、分光カメラ１０の全体または各部の作動を制御する。
【００５４】
より具体的には、後分光方式の分光カメラを作動させる後分光モード（第１モード）では、制御部６０は、スマートフォン１が備える入力部１６に入力されたユーザーの操作指示に基づいて、スマートフォン１が備える記憶部１７に記憶されたプログラム等のソフトウェアを読み込むことで、第１光源３１、第１分光部４１および第１モノクロ撮像素子２１の作動を制御する。そして、これにより得られた分光画像に基づいて、例えば、撮像された測定対象Ｘの特定を行い、そのものの、特徴、成分等を、スマートフォン１が備える表示部１５において表示する。これに対して、前分光方式の分光カメラを作動させる前分光モード（第２モード）では、制御部６０は、第２光源３２、第２分光部４２および第２モノクロ撮像素子２２の作動を制御することで、分光画像を取得する。そして、これに基づいて、測定対象Ｘの特徴、成分等を、表示部１５において表示する。
【００５５】
なお、スマートフォン１では、ディスプレイ７０が表示部１５と入力部１６の双方の機能を兼ね備える。
【００５６】
この制御部６０は、図５に示すように、光源制御部６０１と、分光制御部６０２と、分光画像取得部６０３と、分析処理部６０４と、表示制御部６０５とを備える。
【００５７】
光源制御部６０１は、入力部１６に入力されたユーザーの操作指示に基づいて、第１光源３１および第２光源３２の点灯、消灯を制御するものである。より具体的には、後分光モード（第１モード）では、第１光源３１を点灯させ、前分光モード（第２モード）では、第２光源３２を点灯させる。
【００５８】
分光制御部６０２は、記憶部１７に記憶されているＶ−λデータに基づいて、出射させる分光波長に対応する駆動電圧の電圧値（入力値）を取得する。そして、取得した電圧値を、第１分光部４１、第２分光部４２としてのファブリーペローエタロンフィルターの静電アクチュエーターに印加させるために指令信号を出力する。また、分光制御部６０２は、記憶部１７に記憶されている各種データに基づいて、測定波長の変更タイミングの検出、測定波長の変更、測定波長の変更に応じた駆動電圧の変更、および測定終了の判断等を行い、当該判断に基づいて指令信号を出力する。
【００５９】
この分光制御部６０２による指令信号の出力は、第１光源３１が点灯する後分光モードでは、第１分光部４１に対して実施され、第２光源３２が点灯する前分光モードでは、第２分光部４２に対して実施される。
【００６０】
分光画像取得部６０３は、測定対象Ｘを反射した反射光に基づいた、光量測定データ（受光量）を分光画像として、第１モノクロ撮像素子２１、第２モノクロ撮像素子２２において取得（撮像）し、その後、取得された分光画像を記憶部１７に記憶させる。なお、分光画像取得部６０３は、分光画像を記憶部１７に記憶させる際に、分光画像とともに測定波長も併せて記憶部１７に記憶させる。
【００６１】
この分光画像取得部６０３による分光画像の撮像、すなわち、分光画像取得部６０３による撮像素子の作動は、第１光源３１が点灯する後分光モード（第１モード）では、第１モノクロ撮像素子２１において実施される。また、第２光源３２が点灯する前分光モード（第２モード）では、第２モノクロ撮像素子２２において実施される。
【００６２】
分析処理部６０４は、記憶部１７に記憶された、分光画像（分光スペクトル）および測定波長を取得し、これらの分析処理を行う。そして、この分析処理による処理結果に基づいて、例えば、撮像された測定対象Ｘの特定を、記憶部１７に記憶されたデータベースと比較することで実施する。
【００６３】
なお、分析処理部６０４による、分光画像および測定波長の取得は、記憶部１７を介することなく、分光画像取得部６０３から、直接、実施することもできる。
【００６４】
表示制御部６０５は、分析処理部６０４で特定された測定対象Ｘの情報を可視化画像として表示部１５に表示させる。
【００６５】
表示部１５の可視化画像としては、例えば、特定された測定対象Ｘ（図１ではりんご）の画像の他、測定対象Ｘの特徴、成分、性質等の情報、さらには、測定対象Ｘの認識精度（％）が挙げられる。
【００６６】
［表示部１５、入力部１６、記憶部１７］
また、スマートフォン１は、以上のような分光カメラ１０の他、図５に示すように、表示部１５と、入力部１６と、記憶部１７とを備えている。
【００６７】
スマートフォン１では、ディスプレイ７０が表示部１５と入力部１６の双方の機能を兼ね備えており、表示部１５は、例えば、液晶ディスプレイや有機ＥＬディスプレイ等の各種表示装置で構成される。この表示部１５は、図１に示すように、スマートフォン１の表側に設けられ、各種の画像を表示する。
【００６８】
また、入力部１６は、例えば、表示部１５の表面に設けられ、タッチ感知面と、このタッチ感知面との接触の強度を検出するためのセンサーとを備えるタッチパネルで構成され、ユーザー（操作者）による入力操作を受け付ける。
【００６９】
記憶部１７は、ＲＯＭやＲＡＭ等の各種記憶装置（メモリー）により構成され、スマートフォン１の制御、特に分光カメラ１０の制御に必要な各種データやプログラム等を記憶する。当該データは、例えば、制御部６０の各機能を実現させるためのアプリケーション、プログラム等の他、ファブリーペローエタロンフィルターが備える静電アクチュエーターに印加する駆動電圧に対する透過光の波長を示す相関データＶ−λデータ等が挙げられる。
【００７０】
［測定対象Ｘの特定方法］
次に、前述した分光カメラ１０を用いた、測定対象Ｘの特定方法を、図７等を用いて、以下に詳述する。
【００７１】
すなわち、分光カメラ１０と、表示部１５と、入力部１６と、記憶部１７とを備えるスマートフォン１において、記憶装置に記憶されたプログラムを、制御部６０により実行することで、制御部６０が測定対象Ｘを特定することを命令し、この命令に基づいて、測定対象Ｘを特定する特定方法について、以下で説明する。
【００７２】
なお、以下では、測定対象Ｘを、分光カメラ１０を用いて撮像し、撮像された分光画像に基づいて、測定対象Ｘの特定を行い、その後、特定された測定対象Ｘの画像をディスプレイ７０に表示する場合を一例に説明する。
【００７３】
＜１＞  まず、ユーザーは、入力部１６の操作により、分光カメラ１０を作動させるアプリケーションを起動させた後、このアプリケーションの指示に従って、撮影モード等の条件の選択を行う（Ｓ１）。
【００７４】
すなわち、後分光方式の分光カメラを作動させる後分光モード（第１モード）と、前分光方式の分光カメラを作動させる前分光モード（第２モード）とのうち、いずれか一方のモードの選択を行う。
【００７５】
なお、以下では、まず、後分光モードを選択した場合について説明し、その後、前分光モードを選択した場合について説明する。
【００７６】
（後分光モード）
＜２Ａ＞  次いで、入力部１６における、ユーザーによる後分光モードを選択する入力指示により、光源制御部６０１は、第２光源３２を消灯した状態で、第１光源３１を点灯させる（Ｓ２Ａ）。
【００７７】
この第１光源３１の点灯により、第１光源３１から出射された出射光（照明光）が、測定対象Ｘに対して、直接、照射される。そして、照射された光が測定対象Ｘにより反射され、この反射された光が入射光として第１分光部４１に入射する。
【００７８】
＜３Ａ＞  次いで、分光制御部６０２は、記憶部１７に記憶されているＶ−λデータに基づいて、出射させる分光波長に対応する駆動電圧の電圧値（入力値）を取得する。そして、取得した電圧値を、第１分光部４１としてのファブリーペローエタロンフィルターの静電アクチュエーターに印加させるために指令信号を出力する（Ｓ３Ａ）。
【００７９】
これにより、測定対象Ｘから第１分光部４１に入射光として入射された光のうち、特定波長を有する光が出射光として、選択的に第１モノクロ撮像素子２１側に向かって出射される。
【００８０】
なお、分光制御部６０２は、第１分光部４１により特定波長を有する光を出射させるのに先立って、第１分光部４１のキャリブレーションを行う調整処理を施すことが好ましい。
【００８１】
＜４Ａ＞  次いで、分光画像取得部６０３は、第１モノクロ撮像素子２１の作動を制御することで、第１分光部４１から出射光として出射された、特定波長を有する光を、分光画像として、第１モノクロ撮像素子２１により取得する。すなわち、測定対象Ｘを反射した反射光のうち、特定波長を有する光における光量測定データ（受光量）を分光画像として、第１モノクロ撮像素子２１により取得する。そして、分光画像取得部６０３は、取得された分光画像を、測定波長とともに記憶部１７に記憶させる（Ｓ４Ａ）。
【００８２】
このような後分光モードでは、第１分光部４１は、測定対象Ｘと第１モノクロ撮像素子２１との間において、第１モノクロ撮像素子２１の受光光の光軸上に配置される。これにより、第１分光部４１で測定対象Ｘにより反射された光が有する特定波長の光のみが透過され、この波長の光の強度が第１モノクロ撮像素子２１により分光測定される。
【００８３】
＜５Ａ＞  次いで、１回目の波長を有する光における分光画像の取得の後に、１回目の波長とは異なる２回目の波長を有する光における分光画像の取得が必要か否かを、前記工程＜１＞において、ユーザーによって選択された条件に基づいて判定する。すなわち、１回目の波長とは異なる２回目の波長を有する光における分光画像を、続けて取得する必要があるのか否かを判定する（Ｓ５Ａ）。
【００８４】
この判定（Ｓ５Ａ）において、２回目の波長を有する光における分光画像の取得の必要がある場合には、１回目の波長を有する光に代わり、２回目の波長を有する光について、前記工程＜３Ａ＞〜本工程＜５Ａ＞を繰り返して実施する。これにより、２回目の波長を有する光における分光画像を取得する。このような２回目の波長、すなわち、異なる波長を有する光における分光画像の取得を、１、２〜ｎ回目まで、繰り返して実施する。上記の通り、前記工程＜３Ａ＞〜本工程＜５Ａ＞を繰り返して実施することで、各波長と光強度との関係を示す２次元スペクトル情報を得ることができる。
【００８５】
一方、次の波長を有する光における分光画像を取得する必要がない場合には、後分光モードによる分光画像の取得を終了し、次工程＜６＞である分光画像の分析に移行する。
【００８６】
以上のような後分光モードでは、前記工程＜３Ａ＞〜本工程＜５Ａ＞を繰り返して、ある測定範囲の全域（所定領域）の波長をスキャンすることで、特定波長やスペクトル形状を取得して、測定対象Ｘの特性を把握することが可能である。そのため、特定波長が不明な測定対象Ｘを測定（撮影）する場合に有効となる測定モードであると言える。
【００８７】
（前分光モード）
＜２Ｂ＞  次いで、入力部１６における、ユーザーによる前分光モードを選択する入力指示により、光源制御部６０１は、第１光源３１消灯した状態で、第２光源３２を点灯させる（Ｓ２Ｂ）。
【００８８】
この第２光源３２の点灯により、第２光源３２から出射された出射光（照明光）が、直接、入射光として、第２分光部４２に入射する。
【００８９】
＜３Ｂ＞  次いで、分光制御部６０２は、記憶部１７に記憶されているＶ−λデータに基づいて、出射させる分光波長に対応する駆動電圧の電圧値（入力値）を取得する。そして、取得した電圧値を、第２分光部４２としてのファブリーペローエタロンフィルターの静電アクチュエーターに印加させるために指令信号を出力する（Ｓ３Ｂ）。
【００９０】
これにより、第２光源３２から第２分光部４２に入射光として入射された光のうち、特定波長を有する光が出射光として、選択的に測定対象Ｘ側に向かって出射されることで、測定対象Ｘに照射される。そして、照射された特定波長を有する光が測定対象Ｘにより反射され、この反射された光が入射光として第２モノクロ撮像素子２２に入射する。
【００９１】
このような前分光モードでは、第２分光部４２は、第２光源３２と測定対象Ｘとの間において、第２光源３２の出射光の光軸上に配置される。これにより、第２分光部４２で第２光源３２から射出される光が有する特定波長の光が選択的に透過されるため、測定対象Ｘには、この波長の光が選択的に照射される。
【００９２】
なお、分光制御部６０２は、第２分光部４２により特定波長を有する光を出射させるのに先立って、第２分光部４２のキャリブレーションを行う調整処理を施すことが好ましい。
【００９３】
＜４Ｂ＞  次いで、分光画像取得部６０３は、第２モノクロ撮像素子２２の作動を制御することで、測定対象Ｘにより反射された特定波長を有する光（入射光）を、分光画像として、第２モノクロ撮像素子２２により取得する。すなわち、測定対象Ｘを反射した、特定波長を有する光における光量測定データ（受光量）を分光画像として、第２モノクロ撮像素子２２により取得する。そして、分光画像取得部６０３は、取得された分光画像を、測定波長とともに記憶部１７に記憶させる（Ｓ４Ｂ）。
【００９４】
＜５Ｂ＞  次いで、１回目の波長を有する光における分光画像の取得の後に、１回目の波長とは異なる２回目の波長を有する光における分光画像の取得が必要か否かを、前記工程＜１＞において、ユーザーによって選択された条件に基づいて判定する。すなわち、１回目の波長とは異なる２回目の波長を有する光における分光画像を、続けて取得する必要があるのか否かを判定する（Ｓ５Ｂ）。
【００９５】
この判定（Ｓ５Ｂ）において、次の波長を有する光における分光画像の取得の必要がある場合には、１回目の波長を有する光に代わり、２回目の波長を有する光について、前記工程＜３Ｂ＞〜本工程＜５Ｂ＞を繰り返して実施する。これにより、２回目の波長を有する光における分光画像を取得する。このような２回目の波長、すなわち、異なる波長を有する光における分光画像の取得を、１、２〜ｎ回目まで、繰り返して実施する。上記の通り、前記工程＜３Ｂ＞〜本工程＜５Ｂ＞を繰り返して実施することで、各波長と光強度との関係を示す２次元スペクトル情報を得ることができる。
【００９６】
一方、次の波長を有する光における分光画像を取得する必要がない場合には、前分光モードによる分光画像の取得を終了し、次工程＜６＞である分光画像の分析に移行する。
【００９７】
以上のような前分光モードは、前記工程＜３Ａ＞〜本工程＜５Ａ＞において、特定波長の光を照射することで、測定対象Ｘの特性を把握することが可能な方式である。したがって、特定波長が明らかになっている測定対象Ｘを測定する場合に有効な方式であり、前述した後分光方式よりも情報量を減らせることから、計測時間の短縮が図られる測定モードであると言える。
【００９８】
また、後分光モード（第１モード）と前分光モード（第２モード）とでは、第１光源３１と、第２光源３２とが時間差をもって点灯するように構成され、後分光モードは、第１光源３１の点灯時に、第１分光部４１および第１モノクロ撮像素子２１を作動させることにより実施され、前分光モードは、第２光源３２の点灯時に、第２分光部４２および第２モノクロ撮像素子２２を作動させることにより実施されるが、第１光源３１と第２光源３２とは、少なくとも一部が重なって点灯するよう、すなわち、第１光源３１と第２光源３２とが時間的に重複して点灯するように構成されていることが好ましい。これにより、後分光モードと前分光モードとの切り替えを迅速に行うことができるようになる。
【００９９】
＜６＞  次いで、分析処理部６０４は、記憶部１７に記憶された、分光画像（分光スペクトル）および測定波長に基づいて、分光画像の分析を実施する。
【０１００】
すなわち、分析処理部６０４は、上述した後分光モードまたは前分光モードで記憶部１７に記憶された、分光画像（分光スペクトル）および測定波長を取得する。そして、これらの分析処理を行い、この分析処理による処理結果に基づいて、測定対象Ｘの特徴量を抽出することで、例えば、撮像された測定対象Ｘの特定を、記憶部１７に記憶された基準スペクトルや学習データ等のデータを有するデータベースと比較することで実施する。
【０１０１】
＜７＞  次いで、表示制御部６０５は、分析処理部６０４で特定された測定対象Ｘの情報を可視化画像として作成し、その後、この可視化画像を、表示部１５を備えるディスプレイ７０に表示させる（Ｓ７）。
【０１０２】
以上のような工程＜１＞〜工程＜７＞を経ることで、分光カメラ１０を用いて、測定対象Ｘの特定が実施される。
【０１０３】
なお、分光カメラ１０を用いた測定対象Ｘの特定方法では、後分光モードまたは前分光モードにより、測定対象Ｘの分光画像を取得することについて説明したが、分光カメラ１０は、このような分光画像を取得する場合の他、第２モノクロ撮像素子２２の作動時において、第１光源３１を点灯させる第１非分光モード（第３モード）を取り得るものとすることで、非分光のモノクロ画像を取得するカメラとしての機能も発揮する。
【０１０４】
また、本実施形態では、分光カメラ１０は、後分光方式の分光カメラとして、第１光源３１と、第１分光部４１と、第１モノクロ撮像素子２１とを備える場合について説明したが、分光カメラ１０は、これらのうち、第１光源３１が省略されたものであってもよい。この場合、後分光方式の分光カメラを用いた後分光モードにおける前記工程＜２Ａ＞では、測定対象Ｘに対する光の照射は、太陽や室内照明等の外光により実施される。
【０１０５】
また、本実施形態では、分光カメラ１０は、前分光方式の分光カメラとして、第２光源３２と、第２分光部４２と、第２モノクロ撮像素子２２とを備える場合について説明したが、分光カメラ１０は、これらのうち、第２モノクロ撮像素子２２が省略されたものであってもよい。この場合、前分光方式の分光カメラを用いた前分光モードにおける前記工程＜４Ｂ＞では、分光画像の取得（観察）は、ユーザー（操作者）の眼で直接行われ、測定対象Ｘの特定（例えば、撮像領域における存在の有無）も、ユーザーにより実施される。
【０１０６】
＜＜第２実施形態＞＞
次に、スマートフォン１が備える分光カメラ１０の第２実施形態について説明する。
図８は、本発明の分光カメラの第２実施形態を備える電子機器としてスマートフォンに適用した場合の実施形態の全体像の裏側を示す平面図、図９は、図８に示すスマートフォンのＡ−Ａ線断面図、図１０は、図８に示すスマートフォンのＢ−Ｂ線断面図である。
【０１０７】
以下、第２実施形態の分光カメラ１０について、前記第１実施形態の分光カメラ１０との相違点を中心に説明し、同様の事項については、その説明を省略する。
【０１０８】
図８〜図９に示す第２実施形態の分光カメラ１０は、第１分光部４１と第２分光部４２とは、一体形成された第３分光部４４で構成されること以外は、第１実施形態の分光カメラ１０と同様である。
【０１０９】
第２実施形態の分光カメラ１０では、図８に示すように、第２光源３２と第１モノクロ撮像素子２１とが近位に、第１光源３１と第２モノクロ撮像素子２２とが近位に、それぞれ、配置されている。そして、これらのうち、第２光源３２と第１モノクロ撮像素子２１とを覆うように、第１分光部４１と第２分光部４２とが一体形成された第３分光部４４が回路基板５２に配置されている。これにより、第２光源３２と測定対象Ｘとの光軸上と、第１モノクロ撮像素子２１と測定対象Ｘとの光軸上との双方に、第３分光部４４が配置される。
【０１１０】
かかる構成の第２実施形態の分光カメラ１０において、第３分光部４４は、第２光源３２と第１モノクロ撮像素子２１との双方をカバーし得る分光範囲が広い波長可変干渉フィルターすなわちファブリーペローエタロンフィルターで構成されている。これにより、第１分光部４１と第２分光部４２とを１つの第３分光部４４で賄うことができる。そして、第３分光部４４を制御する制御回路を、前記第１実施形態のように、第１分光部４１と第２分光部４２とのそれぞれに対して用意する必要がなくなるため、第３分光部４４が配設された回路基板５２の小型化を図ることが可能である。したがって、分光カメラ１０ひいてはスマートフォン１の構造の簡略化、低コスト化を実現することができる。
【０１１１】
このような第２実施形態の分光カメラ１０によっても、前記第１実施形態と同様の効果が得られる。
【０１１２】
次に、スマートフォン１が備える分光カメラ１０の第３実施形態について説明する。
図１１は、本発明の分光カメラの第３実施形態が備える第１分光部と第１モノクロ撮像素子とを示す平面図、図１２は、本発明の分光カメラの第３実施形態が備える第１分光部と第１モノクロ撮像素子とを示す側面図である。
【０１１３】
以下、第３実施形態の分光カメラ１０について、前記第１実施形態の分光カメラ１０との相違点を中心に説明し、同様の事項については、その説明を省略する。
【０１１４】
第３実施形態の分光カメラ１０は、図１１、図１２に示すように、構成が異なる第１分光部４１と第１モノクロ撮像素子２１とを備えること、すなわち、第１分光部４１と第１モノクロ撮像素子２１とは、一体形成されていること以外は、第１実施形態の分光カメラ１０と同様である。
【０１１５】
第３実施形態の分光カメラ１０では、図１１、図１２に示すように、回路基板５２への第１分光部４１の配設が省略され、第１モノクロ撮像素子２１に対して、第１分光部４１が直接配設されている。これにより、第１分光部４１と第１モノクロ撮像素子２１とが一体的に形成されている。このような一体化により、第１分光部４１と第１モノクロ撮像素子２１との小型化が図られるため、分光カメラ１０ひいてはスマートフォン１の構造の簡略化、小型化を実現することができる。
【０１１６】
このような第３実施形態の分光カメラ１０によっても、前記第１実施形態と同様の効果が得られる。
【０１１７】
次に、スマートフォン１が備える分光カメラ１０の第４実施形態について説明する。
図１３は、本発明の分光カメラの第４実施形態を備える電子機器としてスマートフォンに適用した場合の実施形態の全体像の裏側を示す平面図、図１４は、図１３に示すスマートフォンのＡ−Ａ線断面図、図１５は、図１３に示すスマートフォンのＢ−Ｂ線断面図である。
【０１１８】
以下、第４実施形態の分光カメラ１０について、前記第１実施形態の分光カメラ１０との相違点を中心に説明し、同様の事項については、その説明を省略する。
【０１１９】
図１３〜図１５に示す第４実施形態の分光カメラ１０は、回路基板５１上に設けられたカラー撮像素子２３をさらに備えること以外は、前記第１実施形態の分光カメラ１０と同様である。
【０１２０】
すなわち、第４実施形態の分光カメラ１０では、図１３、図１４に示すように、第１モノクロ撮像素子２１および第２モノクロ撮像素子２２の他に、スマートフォン１の裏面側において、これらと同一方向を向いた、カラー、例えば、ＲＧＢの撮像が可能なカラー撮像素子２３が回路基板５１上に配置されている。これにより、測定対象Ｘの測定前後でのディスプレイ７０が備える表示部１５に表示する画像をカラー撮像素子２３で撮影した映像（画像）を用いることが可能となり、この映像をカラー映像として取得することができるため、測定対象Ｘの視認性が向上する。そのため、分光カメラ１０により測定対象Ｘの分光画像を取得する際の作業性の向上を図ることができる。
【０１２１】
このような第４実施形態の分光カメラ１０によっても、前記第１実施形態と同様の効果が得られる。
【０１２２】
なお、本実施形態では、分光カメラ１０は、カラー撮像素子２３の作動時において、第１光源３１を点灯させる第２非分光モード（第４モード）を取り得るものとすることで、非分光のカラー画像を取得するカメラとしての機能も発揮する。
【０１２３】
また、本実施形態では、分光カメラ１０は、前分光方式の分光カメラとして、第２光源３２と、第２分光部４２と、第２モノクロ撮像素子２２とを備える場合について説明したが、分光カメラ１０は、これらのうち、第２モノクロ撮像素子２２が省略されたものであってもよい。この場合、前分光方式の分光カメラを用いた前分光モードにおける前記工程＜４Ｂ＞では、分光画像の取得（観察）は、カラー撮像素子２３により行われ、測定対象Ｘの特定は、カラー撮像素子２３により取得された分光画像を用いて実施される。
【０１２４】
以上、本発明の分光カメラおよび電子機器を、図示の実施形態に基づいて説明したが、本発明はこれらに限定されるものでない。
【０１２５】
例えば、前記実施形態では、第１光源３１、第２光源３２、第１モノクロ撮像素子２１、第２モノクロ撮像素子２２、第１分光部４１および第２分光部４２等の作動は、分光カメラ１０（スマートフォン１）に設置された制御部６０により制御されるが、これに限定されず、これらのうちの少なくとも１つは、例えば、スマートフォン１に対し、外付けの機器にある制御部や、通信可能な、あるいはネットワークを介した先方にある任意の制御部により制御されていてもよい。
【０１２６】
また、本発明の電子機器の一例として説明したスマートフォンは、表示部と、入力部と、記憶部とを備える場合について説明したが、かかる構成のものに限定されず、表示部と入力部とは、分光カメラを備えるスマートフォンとは異なる他のスマートフォンやコンピューター等の外部端末が備え、さらに記憶部は、外部サーバーが備え、分光カメラを備えるスマートフォンと、外部端末および外部サーバーとのデータの受け渡しを、通信部を介して実施する構成をなすものであってもよい。
【０１２７】
さらに、本発明の電子機器、すなわち、本発明の分光カメラを備える電子機器は、スマートフォンに限定されず、デジタルカメラ、タブレットＰＣ（Personal Computer）、ドローン、ロボット、キャッシュディスペンサーおよび顔認証センサー、ＨＭＤ（Head Mounted Display）等の撮像機能を有する各種装置であってもよい。
【符号の説明】
【０１２８】
１…スマートフォン、１０…分光カメラ、１５…表示部、１６…入力部、１７…記憶部、２１…第１モノクロ撮像素子、２２…第２モノクロ撮像素子、２３…カラー撮像素子、３１…第１光源、３２…第２光源、４１…第１分光部、４２…第２分光部、４４…第３分光部、５１…回路基板、５２…回路基板、６０…制御部、７０…ディスプレイ、８１…第１分光部側光学系、８２…第２分光部側光学系、８３…第１撮像素子側光学系、８４…第２撮像素子側光学系、４１０…固定基板、４１１…固定反射膜、４１２…固定電極、４１３…溝、４１４…接合膜、４１５…反射膜設置部、４２０…可動基板、４２１…可動反射膜、４２２…可動電極、４２３…溝、４２５…反射膜設置部、６０１…光源制御部、６０２…分光制御部、６０３…分光画像取得部、６０４…分析処理部、６０５…表示制御部、８１１…入射レンズ、８１２…投射レンズ、８２１…投射レンズ、８２２…入射レンズ、８３１…入出射レンズ、８４１…入出射レンズ、Ｘ…測定対象
【図１】
2020085842.tif 000003
【図２】
2020085842.tif 000004
【図３】
2020085842.tif 000005
【図４】
2020085842.tif 000006
【図５】
2020085842.tif 000007
【図６】
2020085842.tif 000008
【図７】
2020085842.tif 000009
【図８】
2020085842.tif 000010
【図９】
2020085842.tif 000011
【図１０】
2020085842.tif 000012
【図１１】
2020085842.tif 000013
【図１２】
2020085842.tif 000014
【図１３】
2020085842.tif 000015
【図１４】
2020085842.tif 000016
【図１５】
2020085842.tif 000017